【事件の表示】
　特許第２６９６５８９号に関する訂正審判事件について、次のとおり審決する。
【結　論】
　特許第２６９６５８９号発明の明細書及び図面を本件審判請求書に添付された訂正明細書のとおり訂正することを認める。
【理　由】
１．請求の要旨 
  特許第２６９６５８９号（平成２年６月２７日特許出願、平成９年９月１９日設定登録）に関する本件審判請求の要旨は、明細書を審判請求書に添付した訂正明細書のとおりに訂正しようとするものである。
　上記訂正明細書の訂正事項は以下の通りである。
１）訂正事項 
  本件特許明細書における特許請求の範囲の請求項１乃至２に係る記載、 
  「（１）景品球が連続して供給される供給通路と、該供給通路と平行状に設けられるリードスクリューと、該リードスクリューを回転させる駆動モーターと、景品球の排出通路とを備え、 
  前記リードスクリューは、外周に供給通路の景品球を１個ずつ軸方向と平行な方向に移動させながら排出通路に排出する球移送条部を螺旋状に設けたことを特徴とするパチンコ機の景品球払出装置。 
（２）供給通路が複数列である請求項１記載のパチンコ機の景品球払出装置。」 
を、
 「１．景品球が供給される供給通路と、該供給通路と平行状に設けられるリードスクリューと、該リードスクリューを回転させる駆動モーターと、景品球の排出通路とを備え、前記リードスクリューは外周に供給通路に臨んで景品球が接触する鍔状の球移送条部を螺旋状に形成し、前記鍔状の球移送条部に接触した供給通路内の景品球を連続した状態で、かつ景品球の球圧が軸方向に加えられるように軸方向と平行な方向に移動させながら景品球を１個ずつ排出通路に排出するようにしたことを特徴とするパチンコ機の景品球払出装置。
２．供給通路が複数列である請求項１記載のパチンコ機の景品球払出装置。」
と訂正する。 
２．訂正の適否
１）訂正の目的の適否、新規事項の有無及び拡張・変更の存否
　訂正事項について検討すると、特許明細書の特許請求の範囲の請求項１に記載されたリ一ドスクリューに関する、リ一ドスクリューは、外周に「球移送状部を螺旋状に設けた」を「供給通路に臨んで景品球が接触する鍔状の球移送条部を螺旋状に形成し」と限定し、そして、更に特許明細書の特許請求の範囲の請求項１に記載されたリ一ドスクリューに関する、「供給通路の景品球を１個ずつ軸方向と平行な方向に移動させながら排出通路に排出する球移送条部」を、「前記鍔状の球移送条部に接触した供給通路内の景品球を連続した状態で、かつ景品球の球圧が軸方向に加えられるように軸方向と平行な方向に移動させながら景品球を１個ずつ排出通路に排出するようにした」と限定するものである。
　そして、上記訂正は、特許明細書の次の（１）乃至（３）の記載を根拠とするものと認められる。
（１）リードスクリュー１５は、モーター取付板１３に形成された上下の受片１３１，１３１に支軸１６の上下部が支持されて水平回転自在に取付けられており、円柱状主体の外周に供給通路１４に臨んで最先端の景品球が接触する一条の連続した鍔状の球移送条部１７を螺旋状に設けて構成されている。（特許明細書第３頁第２６行乃至第４頁第２行、特許第２６９６５８９号公報第２頁第４欄第２４乃至２９行）
（２）このリードスクリュー１５の回転で供給通路１４に連続状態で待機する景品球は球移送条部１７の移動に伴ない途切れることなく数珠状に連なって下降を続け、リードスクリュー１５が１回転すると第４図ａ〜ｄに示すように球移送条部１７に接触する最先端の景品球ＢＩがその球移送条部１７から外れて排出通路１４１に落下する。（特許明細書第４頁第２３乃至２６行、特許第２６９６５８９号公報第３頁第５欄第６乃至１２行）
（３）本実施例に係る景品球払出装置８は、供給通路１４の景品球の球圧がリードスクリュー１５の支軸方向に加えられることになるので、（特許明細書第５頁第５乃至６行、特許第２６９６５８９号公報第３頁第５欄第１９乃至２１行）
　従って、この訂正は、特許法第１２６条第１項ただし書き第１号に規定する特許請求の範囲の減縮を目的とするものである。
　また、上記訂正事項は、願書に添付した明細書又は図面に記載した事項の範囲内の訂正であり、実質上特許請求の範囲を拡張し又は変更するものでもない。
２）独立特許要件
　本件特許の関連事件で、現在東京高等裁判所に平成１２年（行ケ）第７号異議決定取消請求事件として出訴中の、平成１０年異議第７２１６４号事件において、訂正拒絶理由に引用された引用刊行物である刊行物１乃至２に、刊行物３を追加して、独立特許要件の適否を検討する。
（１）引用刊行物
刊行物１　特開昭５９ー２１８１７４号公報 
刊行物２　実願昭６１ー１２６３５７号（実開昭６３ー３２５８１号）のマイ　　　　　クロフイルム
刊行物３　特開昭６１−８７５７２号公報
Ａ．上記刊行物１には、次のア乃至ウの事項が記載されている。
ア．　上方より供給された予備球を自作用的に２条に整列せしめて流下誘導できるようにした誘導路の流下端部に、該誘導路内の予備球の流出方向に回転軸が略一致するように複数個の凹部を有するスプロケットを配置し、かつ上記２条の誘導路の出口の一方が上記スプロケットの凹部に対向するときは、他方の出口がスプロケットの爪部に対向するように構成するとともに、上記スプロケットを回転駆動する手段を設け、入賞球に応じて該駆動手段を動作させて上記スプロケットを所望の角度だけ回転させることにより２条の誘導路の出口から交互に賞品球を排出させるようにしたことを特徴とするパチンコ遊技機における賞品球払出装置。（特許請求の範囲第１項） 
イ．  予備貯留部７から上記賞品球払出装置３０まで賞品球を自作用的に整列せしめて誘導する誘導路８（第３頁左上欄第７乃至９行目） 
ウ．　凹部３２ａに係合した賞品球Ｂ’は阻止プレート３３に当接して後続の賞品球Ｂ”との間に挟持された後、スプロケット３２が回転すると爪部３２ｂによって分離され、下方の排出樋２２に流下せしめられるようになっている。（第４頁左上欄第６乃至１０行目） 
  上記ア乃至ウの記載事項及び第７図、第９図の記載から、刊行物１には、 
  「賞品球が誘導される誘導路と、該誘導路と略平行状の回転軸に設けられたスプロケットと、該スプロケットを回転させる回転駆動手段と、賞品球の排出樋とを備え、                                           
　スプロケットは、外周に誘導路に臨んで賞品球が接触する爪部を有し、該爪部に接触した誘導路内の賞品球を連続した状態で、かつ賞品球の球圧がスプロケットの軸方向に加えられるようにスプロケットの軸方向と平行な方向に移動させながら１個ずつ排出樋に排出するように設けられているパチンコ遊技機における賞品球払出装置。」の発明が記載されている。
Ｂ．上記刊行物２には、次のア乃至エの事項が記載されている。
ア．　第２図において、４は集合桶であって、入賞したパチンコ球は、この集合桶４に集合する。集合桶４は下方に傾斜し、最下位部に流下口５が形成されている。集合桶４の下方には、スクリュ６が回転自在に設置され、その一端、つまり入口部は落下口５に臨み、また他端、つまり出口部は、落下筒７の入口端面に臨んでいる。（第３頁第１１乃至１７行）
イ．　スクリュ６の両側面には、第３図に示すようにガイド板８，８が設けられ、スクリュ６上に落下した入賞球９はガイド板８，８に側面から保持されつつスクリュ６の出口部に搬送される．（第３頁第１８行乃至第４頁第１行）　
ウ．　第４図はスクリュ６の拡大図を示すもので、スクリュ６の外周面には、入賞球９の一部が係合可能な条溝１０が形成され、該条溝１０のピッチＰは、スクリュ６の一回転につき入賞球９の１個半のリードとなっている。したがって連続してきた入賞球９もスクリュ６の出口部からは等間隔で落下する。（第４頁第２乃至８行）．　
エ．　第２図に示すように、落下筒７には、入賞球センサ１１が設けられてあって、入賞球９を検出すると、信号を出力し、図示しない賞品球払出器を動作させる。なお、１２はスクリュ６を回転させるためのモータである。（第４頁第９乃至１３行）
　上記ア乃至エの記載事項より、刊行物２には、第２図とともに「スクリュの外周に入賞球を１個ずつ軸方向と平行な方向に移動させながら落下筒に排出する球移送条部を螺旋状に設ける」点が記載されている。
Ｃ．上記刊行物３には、次の事項が記載されている。
ア．　パチンコ玉はシュ−ト１８を経て玉搬送機構１７の外筒２１の中に集まって溜る。同時にパチンコ玉２０は玉入り口２６を通じて順にスクリュウ軸２３の螺旋溝の中に入り込む。このように外筒２１にパチンコ玉が溜った状態になると図示されてない玉検知機構が作動してモータ１９に駆動指令を与え、スクリュウ軸２３を回転駆動する．（第３頁左下欄第５乃至１１行）
イ．スクリュウ軸２３の螺旋溝内に入ったパチンコ玉２０は上方にねじ送りされてその上端部に到達し、ここからシュート２８を経由して玉収容タンク１５の中に回収される。このパチンコ玉の搬送方向を矢印Ｐで示す。（第３頁左下欄第１１乃至１６行）
　上記ア、イの記載事項及び第２図より刊行物３には、鍔状の球移送条部を有するパチンコ玉移送用のスクリュウが記載されていると言える。　
（２）当審の判断
  しかしながら、上記刊行物１乃至３には、本件訂正後の請求項１に係る発明の「前記リードスクリューは外周に供給通路に臨んで景品球が接触する鍔状の球移送条部を螺旋状に形成し、前記鍔状の球移送条部に接触した供給通路内の景品球を連続した状態で、かつ景品球の球圧が軸方向に加えられるように軸方向と平行な方向に移動させながら景品球を１個ずつ排出通路に排出するようにした」点は記載されておらず、またこれを示唆する記載も認められないので、本件訂正後の請求項１に係る発明を、上記刊行物１乃至３に記載された発明であるとも、また上記刊行物１乃至３に記載された発明に基いて当業者が容易に発明をすることができたとすることもできない。
　また、本件訂正後の請求項２に係る発明は、上記訂正後の請求項１を引用しているので検討するまでもなく、上記刊行物１乃至３に記載された発明であるとも、上記刊行物１乃至３に記載された発明に基いて当業者が容易に発明をすることができたとすることもできない。
　したがって、本件訂正後の請求項１、２に係る発明は、独立して特許を受けることができない発明とはいえない。
３．むすび
　以上のとおり、本件審判請求は、特許法第１２６条第１項第１号に掲げる事項を目的とし、かつ、同条第２項乃至第４項の規定に適合する。
　よって、結論のとおり審決する。